(57)【要約】本発明は、上板と、上板と対応して位置する下板と、上板の上面の一定領域に位置するヘッドと、ヘッドと締結される引体とを含み、ヘッドは、本体部と、本体部の一側終端に延びるフランジ部とを含み、引体は、本体部を含み、本体部は、本体部の下部に位置する本体部下面と、本体部の第１側に位置する本体部第１側面と、本体部の第２側に位置し、本体部第１側面と対向して位置する第２側面とを含み、本体部は、本体部下面から本体部の内部方向に形成されるヘッド収容部を含み、ヘッド収容部は、ヘッドの本体部が収容されるための本体部収容部と、ヘッドのフランジ部が収容されるためのフランジ部収容部とを含むジッパー用ファスナーに関する。ヘッドが上板から分離が可能であるため、引手の交替が可能であり、そのため、ユーザーの気分またはユーザーの必要に応じて多様な形態の引手または引体をジッパー用ファスナーに適用することが可能である。【選択図】図１５
2020508138.tif 000002
【特許請求の範囲】
【請求項１】
上板と、
前記上板と対応して位置する下板と、
前記上板の上面の一定領域に位置するヘッドと、
前記ヘッドと締結される引体とを含み、
前記ヘッドは、本体部と、前記本体部の一側終端に延びるフランジ部とを含み、
前記引体は、本体部を含み、
前記本体部は、前記本体部の下部に位置する本体部下面と、前記本体部の第１側に位置する本体部第１側面と、前記本体部の第２側に位置し、前記本体部第１側面と対向して位置する第２側面とを含み、
前記本体部は、前記本体部下面から前記本体部の内部方向に形成されるヘッド収容部を含み、
前記ヘッド収容部は、前記ヘッドの前記本体部が収容されるための本体部収容部と、前記ヘッドの前記フランジ部が収容されるためのフランジ部収容部とを含み、
前記本体部は、前記本体部第１側面から前記本体部第２側面方向に延びるか、または前記本体部第２側面から前記本体部第１側面方向に延びる締結溝を含み、
前記上板は、第１ベース板を含み、
前記本体部下面は、前記上板の前記第１ベース板の上面と接触する、ジッパー用ファスナー。
【請求項２】
前記ジッパー用ファスナーは、
前記引体の前記締結溝に挿入される締結バーをさらに含む、請求項１に記載のジッパー用ファスナー。
【請求項３】
前記締結溝は、前記本体部収容部と重なる領域を含み、
前記本体部収容部の深さは、前記締結溝の深さよりさらに深く形成される、請求項１に記載のジッパー用ファスナー。
【請求項４】
上板と、
前記上板と対応して位置する下板と、
前記上板の上面の一定領域に位置するヘッドと、
前記ヘッドと締結される引体とを含み、
前記ヘッドは、本体部を含み、
前記引体は、本体部を含み、
前記本体部は、前記本体部の下部に位置する本体部下面と、前記本体部の第１側に位置する本体部第１側面と、前記本体部の第２側に位置し、前記本体部第１側面と対向して位置する第２側面とを含み、
前記本体部は、前記本体部下面から前記本体部の内部方向に形成されるヘッド収容部を含み、
前記ヘッド収容部は、前記ヘッドの前記本体部が収容されるための本体部収容部を含み、
前記本体部は、前記本体部第１側面から前記本体部第２側面方向に延びるか、または前記本体部第２側面から前記本体部第１側面方向に延びる締結溝を含み、
前記上板は、第１ベース板を含み、
前記本体部下面は、前記上板の前記第１ベース板の上面と接触する、ジッパー用ファスナー。
【請求項５】
前記ジッパー用ファスナーは、
前記引体の前記締結溝に挿入される締結バーをさらに含む、請求項４に記載のジッパー用ファスナー。
【請求項６】
前記締結溝は、前記本体部収容部と重なる領域を含み、
前記本体部収容部の深さは、前記締結溝の深さよりさらに深く形成される、請求項４に記載のジッパー用ファスナー。
【請求項７】
ジッパー用ファスナーの引体において、
前記引体は、本体部を含み、
前記本体部は、前記本体部の下部に位置する本体部下面と、前記本体部の第１側に位置する本体部第１側面と、前記本体部の第２側に位置し、前記本体部第１側面と対向して位置する第２側面とを含み、
前記本体部は、前記本体部下面から前記本体部の内部方向に形成されるヘッド収容部を含み、
前記本体部は、前記本体部第１側面から前記本体部第２側面方向に延びるか、または前記本体部第２側面から前記本体部第１側面方向に延びる締結溝を含む、ジッパー用ファスナーの引体。
【請求項８】
前記ジッパー用ファスナーは、第１ベース板を有する上板を含み、
前記本体部下面は、前記上板の前記第１ベース板の上面と接触する、請求項７に記載のジッパー用ファスナーの引体。
【請求項９】
前記ヘッドは、本体部と、前記本体部の一側終端に延びるフランジ部とを含み、
前記ヘッド収容部は、前記ヘッドの前記本体部が収容されるための本体部収容部と、前記ヘッドの前記フランジ部が収容されるためのフランジ部収容部とを含む、請求項７に記載のジッパー用ファスナーの引体。
【請求項１０】
前記締結溝は、前記本体部収容部と重なる領域を含み、
前記本体部収容部の深さは、前記締結溝の深さよりさらに深く形成される、請求項９に記載のジッパー用ファスナーの引体。
【発明の詳細な説明】
【技術分野】
【０００１】
本発明は、ジッパー用ファスナーに関し、より詳細には引手の交替が可能なジッパー用ファスナーに関する。
【背景技術】
【０００２】
一般に、ワンピース、ジャンパー、パンツなどの衣服を容易に着／脱衣するために開放部にジッパーが形成されて使われてきた。
【０００３】
ジッパーは、開放部の両側に形成された一対の支持テープを含んで構成される。
【０００４】
前記支持テープには長さ方向に一定間隔ずつ離隔配列される一対のチェーンがそれぞれ形成されている。前記支持テープにそれぞれ形成された一対のチェーンを結合または分離させるためにジッパー用ファスナーが使われる。
【０００５】
図１および図２は従来のジッパー用ファスナーの使用状態を説明するための図である。
【０００６】
図１および図２を参照すると、従来のジッパー用ファスナー１０は、上板１、下板２と案内ポスト３が一体に形成されている。
【０００７】
また、前記上板１の上部には引手５と結合するヘッド４が形成される。前記上板１の両側には離脱防止フランジ８が下方に形成される。前記離脱防止フランジ８と案内ポスト３との間にはチェーン収容部７がそれぞれ形成される。
【０００８】
前記離脱防止フランジ８と下板２との間には支持テープ収容部６が形成される。
【０００９】
この時、図１に示すように、ジッパー用ファスナー１０が支持テープ収容部６に支持テープＴを収容すると支持テープＴに形成されたチェーンＣはジッパー用ファスナー１０に形成されたチェーン収容部７にそれぞれ挿入される。
【００１０】
前記チェーン収容部７に挿入されたチェーンＣは上板１の両側に形成された離脱防止フランジ８により両側に離脱することが防止される。
【００１１】
支持テープＴを収容したジッパー用ファスナー１０が固定方向に進行するとチェーンＣが結合され、ジッパー用ファスナー１００が反対方向に進行するとチェーンＣが分離してジッパーＧが開閉される。
【００１２】
また、図２に示すように、衣服（図示せず）に形成された支持テープＴを収容したジッパー用ファスナー１０が固定方向または反対方向に継続して進行して支持テープＴが支持テープ収容部６から離脱することを防止するために支持テープＴの上／下部に停止部材９をそれぞれ形成する。
【００１３】
このように衣服を製作する段階で開放部に形成された支持テープＴをジッパー用ファスナー１０に収容させた後、支持テープの上／下部を停止部材に仕上げるが、上板１、下板２と案内ポスト３が一体に形成された従来のジッパー用ファスナー１０は支持テープＴの上／下部が仕上げられたジッパーＧと一対で使われる。
【００１４】
一方、衣服を着／脱衣する過程で使われるジッパー用ファスナーにおいて、前記ジッパー用ファスナーは、前記引手５を手で把持した状態で、前記引手５によりジッパー用ファスナーを固定方向または反対方向に継続して進行してチェーンＣを分離または結合させる。
【００１５】
この時、従来のジッパー用ファスナーでは前記引手５が前記ヘッド４に締結された状態で使われるので、前記引手５は、前記ヘッド４から分離できる構造ではない。
したがって、前記引手５は、ジッパー用ファスナーを移動させるための手段でしか用いられていない実情である。
【００１６】
一方、前記引手５は、多様な形態で構成され得るが、前記引手５を前記ヘッド４から分離できれば、前記引手５の交替が可能である。そのため、ユーザーの気分によって多様な形態の引手をジッパー用ファスナーに適用することが可能であるが、現在としてはこのような引手の交替が可能なジッパー用ファスナーに対しては開発が全く行われていない実情である。
【発明の概要】
【発明が解決しようとする課題】
【００１７】
本発明は、前記引手を前記ヘッドから分離可能であり、前記引手の交替が可能なジッパー用ファスナーを提供することにその目的がある。
【００１８】
また、本発明はユーザーの気分によって多様な形態の引手または引体の適用が可能なジッパー用ファスナーを提供することにその目的がある。
【００１９】
本発明の目的は、以上で言及した目的に制限されず、言及されていないまた他の目的は、以下の記載から当業者に明確に理解されるであろう。
【課題を解決するための手段】
【００２０】
前記指摘した問題点を解決するために本発明は、上板と、前記上板と対応して位置する下板と、前記上板の上面の一定領域に位置するヘッドと、前記ヘッドと締結される引体とを含み、前記ヘッドは、本体部と、前記本体部の一側終端に延びるフランジ部とを含み、前記引体は、本体部を含み、前記本体部は、前記本体部の下部に位置する本体部下面と、前記本体部の第１側に位置する本体部第１側面と、前記本体部の第２側に位置し、前記本体部第１側面と対向して位置する第２側面とを含み、前記本体部は、前記本体部下面から前記本体部の内部方向に形成されるヘッド収容部を含み、前記ヘッド収容部は、前記ヘッドの前記本体部が収容されるための本体部収容部と、前記ヘッドの前記フランジ部が収容されるためのフランジ部収容部とを含むジッパー用ファスナーを提供する。
【００２１】
また、本発明は、前記本体部は、前記本体部第１側面から前記本体部第２側面方向に延びるか、または前記本体部第２側面から前記本体部第１側面方向に延びる締結溝を含むジッパー用ファスナーを提供する。
【００２２】
また、本発明にかかるジッパー用ファスナーは、前記引体の前記締結溝に挿入される締結バーをさらに含むジッパー用ファスナーを提供する。
【００２３】
また、本発明は、前記上板は、第１ベース板を含み、前記本体部下面は、前記上板の前記第１ベース板の上面と接触するジッパー用ファスナーを提供する。
【００２４】
また、本発明は、前記締結溝は、前記本体部収容部と重なる領域を含み、前記本体部収容部の深さは、前記締結溝の深さよりさらに深く形成されるジッパー用ファスナーを提供する。
【００２５】
また、本発明は、ジッパー用ファスナーの引体において、前記引体は、本体部を含み、前記本体部は、前記本体部の下部に位置する本体部下面と、前記本体部の第１側に位置する本体部第１側面と、前記本体部の第２側に位置し、前記本体部第１側面と対向して位置する第２側面とを含み、前記本体部は、前記本体部下面から前記本体部の内部方向に形成されるヘッド収容部を含み、前記本体部は、前記本体部第１側面から前記本体部第２側面方向に延びるか、または前記本体部第２側面から前記本体部第１側面方向に延びる締結溝を含むジッパー用ファスナーの引体を提供する。
【００２６】
また、本発明は、前記ヘッドは、本体部と、前記本体部の一側終端に延びるフランジ部とを含み、前記ヘッド収容部は、前記ヘッドの前記本体部が収容されるための本体部収容部と、前記ヘッドの前記フランジ部が収容されるためのフランジ部収容部とを含むジッパー用ファスナーの引体を提供する。
【００２７】
また、本発明は、前記締結溝は、前記本体部収容部と重なる領域を含み、前記本体部収容部の深さは、前記締結溝の深さよりさらに深く形成されるジッパー用ファスナーの引体を提供する。
【発明の効果】
【００２８】
前記した本発明によれば、前記ヘッドが前記上板から分離可能であるので、前記引手の交替が可能である。そのため、ユーザーの気分またはユーザーの必要に応じて多様な形態の引手または引体をジッパー用ファスナーに適用することが可能である。
【図面の簡単な説明】
【００２９】
【図１】従来のジッパー用ファスナーの使用状態を説明するための図である。
【図２】従来のジッパー用ファスナーの使用状態を説明するための図である。
【図３】本発明の第１実施形態によるジッパー用ファスナーを示す分離斜視図である。
【図４】本発明の第１実施形態によるジッパー用ファスナーを示す結合斜視図である。
【図５】本発明の第１実施形態によるジッパー用ファスナーの下板を示す斜視図である。
【図６】本発明の第１実施形態によるジッパー用ファスナーの下板を示す側面図である。
【図７】本発明の第１実施形態によるジッパー用ファスナーの下板を示す平面図である。
【図８】本発明の第１実施形態によるジッパー用ファスナーの上板を示す第１方向の斜視図である。
【図９】本発明の第１実施形態によるジッパー用ファスナーの上板を示す第２方向の斜視図である。
【図１０】本発明の第１実施形態によるジッパー用ファスナーのヘッドを示す斜視図である。
【図１１】本発明の第１実施形態によるジッパー用ファスナーのヘッドを示す側面図である。
【図１２】多様な形態の引手を示す概略的な図である。
【図１３】多様な形態の引手を示す概略的な図である。
【図１４】多様な形態の引手を示す概略的な図である。
【図１５】本発明によるジッパー用ファスナーの引体を示す斜視図である。
【図１６】本発明によるジッパー用ファスナーの引体を示す斜視図である。
【図１７】本発明によるジッパー用ファスナーの引体を示す底面図である。
【図１８】本発明による締結バーを示す斜視図である。
【図１９】本発明による締結バーを示す斜視図である。
【図２０】本発明による引体と締結バーの締結状態を示す斜視図である。
【図２１】本発明による締結バーが締結されたジッパー用ファスナーを示す結合斜視図である。
【図２２】本発明による締結バーが締結されたジッパー用ファスナーを示す結合斜視図である。
【図２３】本発明による締結バーが締結されたジッパー用ファスナーを示す分離斜視図である。
【図２４】本発明による締結バーが締結されたジッパー用ファスナーを示す分離斜視図である。
【図２５】本発明による締結バーが締結されたジッパー用ファスナーを示す一部結合斜視図である。
【図２６】本発明による締結バーが締結されたジッパー用ファスナーを示す一部結合斜視図である。
【図２７】本発明による本体部の他の形態を示す図である。
【発明を実施するための形態】
【００３０】
本発明の利点および特徴、並びにこれらを達成する方法は、添付する図面とともに詳細に後述されている実施形態を参照すると明確になるであろう。しかし、本発明は以下で開示する実施形態に限定されるものではなく、互いに異なる多様な形態で具現され得、本実施形態は、単に本発明の開示を完全にし、本発明が属する技術分野における通常の知識を有する者に発明の範疇を完全に知らせるために提供するものであり、本発明は請求項の範疇によってのみ定義される。
【００３１】
以下、添付する図面を参照して本発明の実施のための具体的な内容を詳細に説明する。図面に関係なく同一部材番号は同一構成要素を指し、「および／または」は言及されたアイテムのそれぞれおよび一つ以上のすべての組み合わせを含む。
【００３２】
第１、第２等が多様な構成要素を叙述するために使われるが、これらの構成要素はこれらの用語によって制限されないことはもちろんである。これらの用語は単に一つの構成要素を他の構成要素と区別するために使う。したがって、以下で言及する第１構成要素は、本発明の技術的思想内で第２構成要素であり得ることはもちろんである。
【００３３】
本明細書で使われた用語は、実施形態を説明するためのものであり、本発明を制限しようとするものではない。本明細書で、単数形は文面で特記しない限り、複数形も含む。明細書で使われる「含む（ｃｏｍｐｒｉｓｅｓ）」および／または「含んでいる（ｃｏｍｐｒｉｓｉｎｇ）」は、言及された構成要素の他に一つ以上の他の構成要素の存在または追加を排除しない。
【００３４】
以下、添付する図面を参照して本発明の好ましい実施形態を詳細に説明する。
【００３５】
図３は本発明の第１実施形態によるジッパー用ファスナーを示す分離斜視図であり、図４は本発明の第１実施形態によるジッパー用ファスナーを示す結合斜視図である。
【００３６】
図３および図４を参照すると、本発明の第１実施形態によるジッパー用ファスナー２００は、上板２１０および前記上板２１０と対応して位置する下板２２０を含み、前記上板２１０の上面の一定領域に位置し、前記上板から分離が可能なヘッド２３０を含む。
【００３７】
この時、前記上板２１０は第１ベース板２１１を含み、前記ヘッド２３０は前記第１ベース板２１１の上面の一定領域に位置し得る。
【００３８】
また、前記第１ベース板２１１は、第１締結孔２１２を含む。
【００３９】
引き続き、図３および図４を参照すると、前記下板２２０は、第２ベース板２２１を含み、前記第２ベース板２２１の前方に位置する案内ポスト２２２を含み、また、前記案内ポスト２２２は、前記第１締結孔２１２と対応する領域に位置する第２締結孔２２３を含む。
【００４０】
この時、本発明で前記上板２１０と前記下板２２０は、相互分離可能であり、前記上板と前記下板は、後述する締結手段２４０により締結されるか、前記締結手段２４０を除去する場合、前記上板２１０と前記下板２２０は相互分離が可能である。
【００４１】
引き続き、図３および図４を参照すると、本発明の第１実施形態によるジッパー用ファスナー２００は、前記上板２１０の上面の一定領域に位置し、前記上板から分離が可能なヘッド２３０を含む。
【００４２】
この時、前述したように、前記ヘッド２３０は、前記第１ベース板２１１の上面の一定領域に位置し得る。
【００４３】
一方、本発明では前記ヘッド２３０が前記上板から分離可能であることを特徴とし、より具体的には、前記ヘッド２３０は引手収容部２３４を含む本体部２３１および前記本体部２３１の一側終端に延びるフランジ部２３２を含む。
【００４４】
また、前記ヘッド２３０は、前記フランジ部２３２の一定領域に位置し、前記第１締結孔２１２と対応する領域に位置する第３締結孔２３３を含む。
【００４５】
また、本発明の第１実施形態によるジッパー用ファスナー２００は、前記第１締結孔２１２と前記第３締結孔２３３に挿入されて締結される締結手段２４０を含み、前記第１締結孔２１２と前記第３締結孔２３３に前記締結手段２４０が結合されることにより、前記上板２１０と前記ヘッド２３０が締結され、前記第１締結孔２１２および前記第３締結孔２３３から前記締結手段２４０が分離されることにより、前記上板２１０と前記ヘッド２３０が分離し得る。
【００４６】
この時、前記締結手段２４０は、公知のねじまたはボルトなどの結合手段を用い得、ただし、本発明で前記締結手段２４０の種類は制限しない。
【００４７】
また、図面に示すように、前記締結手段２４０は、前記第１締結孔２１２と前記第３締結孔２３３に挿入されると同時に前記第２締結孔２２３に挿入され得、前記第１締結孔２１２、前記第３締結孔２３３および前記第２締結孔２２３に前記締結手段２４０が結合されることによって、前記上板２１０と前記ヘッド２３０が締結され、また、前記上板２１０と前記下板２２０が締結され得る。
【００４８】
また、前記第１締結孔２１２、前記第３締結孔２３３および前記第２締結孔２２３から前記締結手段２４０が分離することによって、前記上板２１０と前記ヘッド２３０が分離し、また、前記上板２１０と前記下板２２０が分離し得る。
【００４９】
一方、図面には示していないが、前記ヘッド２３０の本体部２３１に構成される引手収容部２３４に引手（図示せず）が位置し得、これは当業界で自明な事項であるため、以下具体的な説明は省略する。
【００５０】
前述したように、ジッパー用ファスナーは、引手を手で把持した状態で、前記引手によりジッパー用ファスナーを固定方向または反対方向に継続して進行してチェーンを分離または結合させる。
【００５１】
この時、従来のジッパー用ファスナーでは前記引手が前記ヘッドに締結された状態で使われるので、前記引手は前記ヘッド４から分離できる構造ではない。
【００５２】
したがって、前記引手５は、ジッパー用ファスナーを移動させるための手段でしか用いられていない実情である。
【００５３】
しかし、本発明では前述したように、前記ヘッド２３０が前記上板２１０から分離可能であることを特徴とし、そのため、前記ヘッド２３０を前記上板２１０から分離させた状態で、前記引手を容易に交替することができる。
【００５４】
すなわち、本発明では前記引手の交替が可能であるので、ユーザーの気分またはユーザーの必要に応じて多様な形態の引手をジッパー用ファスナーに適用することが可能である。
【００５５】
図１２ないし図１４は多様な形態の引手を示す概略的な図である。
【００５６】
図１２を参照すると、第１例による引手３１０は、第１取っ手部３１１および前記第１取っ手部３１１の終端領域に位置する第１輪部３１２を含み、この時、前記第１輪部３１２が前記図３および図４の前記ヘッド２３０の本体部２３１に構成される引手収容部２３４に位置し得る。
【００５７】
また、図１３を参照すると、第２例による引手３２０は、第２取っ手部３２１および前記第２取っ手部３２１の終端領域に位置する第２輪部３２２を含み、また、図１４を参照すると、第３例による引手３３０は第３取っ手部３３１および前記第３取っ手部３３１の終端領域に位置する第３輪部３３２を含み得る。
【００５８】
すなわち、本発明ではこのような多様な形態の引手３２０をユーザーの気分またはユーザーの必要に応じて容易に交替可能である。
【００５９】
以下では本発明の第１実施形態によるジッパー用ファスナーをより具体的に説明する。
【００６０】
図５は本発明の第１実施形態によるジッパー用ファスナーの下板を示す斜視図であり、図６は本発明の第１実施形態によるジッパー用ファスナーの下板を示す側面図であり、図７は本発明の第１実施形態によるジッパー用ファスナーの下板を示す平面図である。
【００６１】
図５ないし図７を参照すると、前述したように、本発明の第１実施形態によるジッパー用ファスナーの下板２２０は、第２ベース板２２１を含み、前記第２ベース板２２１の前方に位置する案内ポスト２２２を含み、また、前記案内ポスト２２２は、前記第１締結孔２１２と対応する領域に位置する第２締結孔２２３を含む。
【００６２】
この時、前記案内ポスト２２２は、案内ポスト上面２２４を含み、前記案内ポスト上面２２４は、前記第２締結孔２２３が位置する第１上面２２４ａおよび前記案内ポスト２２２の外側終端に位置し、前記第１上面２２４ａより低い段差の第２上面２２４ｂを含む。
【００６３】
また、前記案内ポスト２２２は、前記案内ポスト上面２２４の一定領域に位置する突起部２２５を含む。
【００６４】
前記第１上面２２４ａおよび前記第２上面２２４ｂを含む案内ポストの上面２２４と上述したようなジッパー用ファスナーの上板の結合関係、また、前記突起部２２５と上述したようなジッパー用ファスナーの上板の結合関係については後述する。
【００６５】
図８は本発明の第１実施形態によるジッパー用ファスナーの上板を示す第１方向の斜視図であり、図９は本発明の第１実施形態によるジッパー用ファスナーの上板を示す第２方向の斜視図である。
【００６６】
この時、前記第１方向は、前記上板の下面を意味し、前記第２方向は前記上板の上面を意味する。
【００６７】
図８および図９を参照すると、前述したように、本発明の第１実施形態によるジッパー用ファスナーの上板２１０は、第１ベース板２１１を含み、前記第１ベース板２１１の一定領域に位置する第１締結孔２１２を含む。
【００６８】
また、図８を参照すると、前記上板２１０は、前記第１ベース板２１１の下面２１３を含み、前記第１ベース板２１１の下面２１３は、前記第１ベース板の一側終端に位置する第１ベース板の第１下面２１３ａおよび前記第１ベース板の第１下面の以外の領域である第１ベース板の第２下面２１３ｂを含む。
【００６９】
また、前記第１ベース板２１１の下面２１３は、前記第１ベース板２１１の下面２１３の一定領域に位置し、前記第１ベース板の第１下面２１３ａより低い段差を有する収容溝２１４を含み得、前記収容溝２１４の一定領域に前記第１締結孔２１２を含み得る。
【００７０】
また、前記第１ベース板２１１の下面２１３は、第１ベース板の第１下面２１３ａおよび前記収容溝２１４にかけて位置し、前記収容溝２１４より低い段差を有する第１溝部２１７を含む。
【００７１】
この時、前記第１ベース板の第１下面２１３ａは、上述した図５ないし図７の前記下板２２０の前記案内ポスト上面２２４のうち、前記第２上面２２４ｂと接触する面に該当する。
【００７２】
すなわち、前記第１ベース板の第１下面２１３ａが、前記案内ポスト上面２２４のうち、前記第２上面２２４ｂと接触した状態で、前記上板２１０と前記下板２２０が締結され得る。
【００７３】
また、前記収容溝２１４は、上述した図５ないし図７の前記下板２２０の前記案内ポスト上面２２４のうち、前記第１上面２２４ａを収容する溝に該当する。
【００７４】
すなわち、本発明では前記下板２２０の前記案内ポスト上面２２４のうち、前記第１上面２２４ａが前記収容溝２１４に収容された状態で、前記上板２１０と前記下板２２０が締結されることによって、前記上板２１０と前記下板２２０との結合をより堅固にすることができる。
【００７５】
また、前記第１溝部２１７は、上述した図５ないし図７の前記下板２２０の前記突起部２２５を収容する溝に該当する。
【００７６】
すなわち、前記下板２２０の前記突起部２２５が前記第１溝部２１７に収容された状態で、前記上板２１０と前記下板２２０が締結され得る。
【００７７】
この時、前記上板２１０と前記下板２２０が締結されることにおいて、前記突起部２２５が前記第１溝部２１７に収容されることによって、前記上板２１０と前記下板２２０の締結基準点を提示し得る。
【００７８】
また、図９を参照すると、前記上板２１０は前記第１ベース板２１１の上面２１５を含み、前記第１ベース板２１１の上面２１５は、前記第１ベース板の他側終端に位置する第１ベース板の第１上面２１５ａおよび前記第１ベース板の第１上面以外の領域である第１ベース板の第２上面２１５ｂを含む。
【００７９】
また、前記第１ベース板２１１の上面２１５は、前記第１ベース板２１１の上面２１５のうち、前記第１ベース板の第１上面２１５ａの一定領域に位置する支持溝２１６を含み得る。
【００８０】
また、前記第１ベース板２１１の上面２１５は、前記支持溝２１６と前記第１締結孔２１２との間に位置する第２溝部２１８を含み得る。
【００８１】
前記第１ベース板の第１上面２１５ａの一定領域に位置する支持溝２１６と上述したようなジッパー用ファスナーのヘッドとの結合関係、また、前記支持溝２１６と前記第１締結孔２１２との間に位置する第２溝部２１８と上述したようなジッパー用ファスナーのヘッドとの結合関係については後述する。
【００８２】
図１０は本発明の第１実施形態によるジッパー用ファスナーのヘッドを示す斜視図であり、図１１は本発明の第１実施形態によるジッパー用ファスナーのヘッドを示す側面図である。
【００８３】
図１０および図１１を参照すると、前述したように、本発明の第１実施形態によるジッパー用ファスナーのヘッド２３０は、引手収容部２３４を含む本体部２３１および前記本体部２３１の一側終端に延びるフランジ部２３２を含み、また、前記ヘッド２３０は、前記フランジ部２３２の一定領域に位置し、前記第１締結孔２１２と対応する領域に位置する第３締結孔２３３を含む。
【００８４】
この時、図１１を参照すると、本発明の第１実施形態によるジッパー用ファスナーのヘッド２３０の前記フランジ部２３２は、フランジ部下面２３２ａを含み、前記フランジ部下面２３２ａが、上述した図８および図９の前記上板２１０の前記第１ベース板２１１の上面２１５と接触した状態で、前記上板２１０と前記ヘッド２３０が締結され得る。
【００８５】
また、図１１を参照すると、前記ヘッド２３０の本体部２３１は、半輪形状であり、前記半輪形状によって前記引手収容部２３４を形成し得る。
【００８６】
この時、半輪形状の一側領域から前記フランジ部２３２が延び、前記フランジ部は、前記半輪形状の一側領域から第１方向、例えば水平方向に延び得る。
【００８７】
また、前記ヘッド２３０は、前記本体部２３１の半輪形状の一側領域から第２方向、例えば垂直方向に延びる突起部２５１を含み得る。
【００８８】
一方、前記半輪形状の他側領域は直線形態の支持体２４１を含み、前記支持体２４１は、第１長さｔ１の第１支持体２４１ａおよび前記第１支持体２４１ａから延び、第２長さｔ２の第２支持体２４１ｂを含む。
【００８９】
この時、図面に示すように、前記支持体２４１は、前記第２支持体２４１ｂの第２長さｔ２だけ前記フランジ部下面２３２ａより突出することを特徴とする。
【００９０】
引き続き、図１０および図１１を参照すると、前述したように、前記フランジ部下面２３２ａが、上述した図８および図９の前記上板２１０の前記第１ベース板２１１の上面２１５と接触した状態で、前記上板２１０と前記ヘッド２３０が締結され得る。
【００９１】
この時、前記上板２１０と前記ヘッド２３０が締結されることにおいて、前記支持体２４１が前記上板２１０の前記第１ベース板の第１上面２１５ａの一定領域に位置する支持溝２１６に挿入され、より具体的には、前記支持体２４１の前記第２支持体２４１ｂが前記支持溝２１６に挿入される。
【００９２】
すなわち、本発明の第１実施形態によるジッパー用ファスナー２００は、前記支持体２４１の前記第２支持体２４１ｂが前記支持溝２１６に挿入された状態で、前記ヘッドと前記上板が締結されることによって、前記ヘッドが前記上板からの意図しない回転を防止することができる。
【００９３】
より具体的には、本発明では前記ヘッド２３０が締結手段２４０により前記上板２１０と締結されることにおいて、一つの領域で締結されるが、締結される領域が一つの場合、前記ヘッドが前記上板からの意図しない回転をし得る。
【００９４】
したがって、本発明では前記支持体２４１の前記第２支持体２４１ｂが前記支持溝２１６に挿入された状態で、前記ヘッドと前記上板が締結することによって、前記ヘッドが前記上板からの意図しない回転を防止することができる。
【００９５】
また、前記ヘッド２３０は、前記本体部２３１の半輪形状の一側領域から第２方向、例えば垂直方向に延びる突起部２５１を含み、前記突起部２５１は、上述した図８および図９の前記上板の前記支持溝２１６と前記第１締結孔２１２との間に位置する第２溝部２１８に挿入された状態で、前記上板２１０と前記ヘッド２３０が締結され得る。
【００９６】
前記突起部２５１が前記第２溝部２１８に挿入されることは、上述したような第２支持体２４１ｂと同様に、前記ヘッドが前記上板からの意図しない回転を防止できるだけでなく、前記ヘッドが前記上板に締結されることにおいて、前記上板２１０と前記ヘッド２３０の締結基準点を提示し得る。
【００９７】
以上のような本発明によれば、本発明では前記ヘッドが前記上板から分離可能であるので、前記引手の交替が可能であり、したがって、ユーザーの気分またはユーザーの必要に応じて多様な形態の引手をジッパー用ファスナーに適用することが可能である。
【００９８】
また、本発明では前記下板２２０の前記案内ポスト上面２２４のうち、前記第１上面２２４ａが前記収容溝２１４に収容された状態で、前記上板２１０と前記下板２２０が締結されることによって、前記上板２１０と前記下板２２０の結合をより堅固にすることができる。
【００９９】
また、本発明では前記支持体２４１の前記第２支持体２４１ｂが前記支持溝２１６に挿入された状態で、前記ヘッドと前記上板が締結することによって、前記ヘッドが前記上板からの意図しない回転を防止することができる。
【０１００】
一方、前述したように、本発明では、上述したようなヘッド２３０の引手収容部２３４に、上述したような図１２ないし図１４の多様な形態の引手を締結し得る。
【０１０１】
すなわち、図１２を参照すると、第１例による引手３１０は、第１取っ手部３１１および前記第１取っ手部３１１の終端領域に位置する第１輪部３１２を含み、この時、前記第１輪部３１２が前記図３および図４の前記ヘッド２３０の本体部２３１に構成される引手収容部２３４に位置し得る。
【０１０２】
また、図１３を参照すると、第２例による引手３２０は、第２取っ手部３２１および前記第２取っ手部３２１の終端領域に位置する第２輪部３２２を含み、また、図１４を参照すると、第３例による引手３３０は、第３取っ手部３３１および前記第３取っ手部３３１の終端領域に位置する第３輪部３３２を含み得る。
【０１０３】
したがって、本発明ではこのような多様な形態の引手３２０をユーザーの気分またはユーザーの必要に応じて、容易に交替が可能である。
【０１０４】
すなわち、一般的なジッパー用ファスナーは、上述したような図１２ないし図１４の多様な形態の引手をヘッド２３０の引手収容部２３４に締結する。
【０１０５】
しかし、本発明ではこのような一般的な形態の引手以外に、本出願人が開発した新たな形態の引手を締結しようとし、以下では本発明による新しい形態の引手およびこれをジッパー用ファスナーのヘッドに締結する構造について説明する。
【０１０６】
ただし、上述したような図１２ないし図１４の一般的な形態の引手と区分するために、本発明による新たな形態の引手を引体と命名する。ただし、本発明による引体は、前記引体と同じ機能をするものとして理解し得る。
【０１０７】
図１５ないし図１６は本発明によるジッパー用ファスナーの引体を示す斜視図であり、図１７は本発明によるジッパー用ファスナーの引体を示す底面図である。
【０１０８】
図１５ないし図１７を参照すると、本発明によるジッパー用ファスナーの引体４００は本体部４１０を含む。
【０１０９】
この時、本発明による前記本体部４１０は、多様なキャラクター形状で構成され得、例えば、図１５ないし図１７では自動車形状で構成され得る。
【０１１０】
ただし、本発明における前記本体部の形状は自動車形状だけでなく、汽車形状、船形状、または動物形状、人形形状など、多様なキャラクター形状で構成され得、そのため、本発明における前記本体部の形状は制限しない。
【０１１１】
図２７は本発明による本体部の他の形態を示す図面であり、図２７のように、本発明によるジッパー用ファスナーの引体４００’の本体部４１０’の形状は汽車形状で構成され得る。
【０１１２】
引き続き、図１５ないし図１７を参照すると、前記本体部４１０は、前記本体部４１０の下部に位置する本体部下面４１１を含み、この時、前記本体部下面４１１は上述した図３および図４の前記上板２１０の第１ベース板２１１の上面と接触する。
【０１１３】
したがって、前記第１ベース板２１１の上面が平たい場合、前記本体部下面４１１も前記第１ベース板２１１の上面と接触できるように平たく構成することが好ましい。
【０１１４】
また、前記本体部４１０は、前記本体部４１０の第１側に位置する本体部第１側面４１２ａと、前記本体部４１０の第２側に位置し、前記本体部第１側面４１２ａと対向して位置する第２側面４１２ｂを含む。
【０１１５】
引き続き、図１５ないし図１７を参照すると、前記本体部４１０は、前記本体部下面４１１から前記本体部の内部方向（Ｘ方向）で形成されるヘッド収容部４２０を含み、前記ヘッド収容部４２０は上述したような図１０および図１１の前記ヘッド２３０の前記本体部２３１が収容されるための本体部収容部４２１と、前記ヘッド２３０の前記フランジ部２３２が収容されるためのフランジ部収容部４２２を含む。
【０１１６】
また、図１５ないし図１７を参照すると、前記本体部４１０は、前記本体部第１側面４１２ａから前記本体部第２側面４１２ｂ方向（Ｙ方向）に延びるか、または前記本体部第２側面４１２ｂから前記本体部第１側面４１２ａ方向（−Ｙ方向）に延びる締結溝４３０を含む。
【０１１７】
この時、図面に示すように、前記締結溝４３０は、前記本体部収容部４２１と重なる領域を含み、ただし、前記本体部収容部４２１の深さは前記締結溝４３０の深さよりさらに深く形成されている。
【０１１８】
これと関連して、前記ヘッド２３０の本体部２３１は半輪形状であり、前記半輪形状によって、前記引手収容部２３４を形成するが、前記ヘッドの本体部２３１が前記本体部収容部４２１に収容された状態を維持しなければならないので、前記ヘッドの本体部２３１が前記本体部収容部４２１に位置できるように、前記本体部収容部４２１の深さが前記締結溝４３０の深さよりさらに深く形成される。
【０１１９】
すなわち、前記ヘッドの本体部２３１が前記本体部収容部４２１に位置する場合、前記締結溝４３０は、前記本体部２３１の半輪形状によって形成される引手収容部２３４と同じ平面上に位置するが、そのため、前記締結溝４３０が前記本体部２３１の半輪形状によって形成される引手収容部２３４と同じ平面上に位置し、これと同時に、前記ヘッドの本体部２３１が前記本体部収容部４２１に位置できるように、前記本体部収容部４２１の深さが前記締結溝４３０の深さよりさらに深く形成される。
これは図２０を参照して後述する。
【０１２０】
図１８および図１９は本発明による締結バーを示す斜視図である。
【０１２１】
図１８および図１９を参照すると、本発明による締結バー５００は、上述したような本発明による引体４００の締結溝４３０に挿入されるものであり、図面では断面の形状がＨ形状である場合を示しているが、本発明で前記締結バー５００の形状は制限されない。ただし、本発明による締結バー５００は、前記締結溝４３０に挿入できるようにバー形態であることが好ましい。
【０１２２】
［発明を実施するための形態］
図２０は本発明による引体と締結バーの締結状態を示す斜視図である。
【０１２３】
前述したように、本発明による前記本体部４１０は、前記本体部第１側面４１２ａから前記本体部第２側面４１２ｂ方向（Ｙ方向）に延びるか、または前記本体部第２側面４１２ｂから前記本体部第１側面４１２ａ方向（−Ｙ方向）に延びる締結溝４３０を含み、前記締結溝４３０に締結バー５００が挿入される。
【０１２４】
この時、図２０に示すように、前記本体部収容部４２１の深さが前記締結溝４３０の深さよりさらに深く（ｄの差）形成されていることを確認することができる。
【０１２５】
以下では、本発明による締結バーが締結されたジッパー用ファスナーを説明する。
【０１２６】
図２１および図２２は本発明による締結バーが締結されたジッパー用ファスナーを示す結合斜視図であり、図２３および図２４は本発明による締結バーが締結されたジッパー用ファスナーを示す分離斜視図であり、図２５および図２６は本発明による締結バーが締結されたジッパー用ファスナーを示す一部結合斜視図である。
【０１２７】
ただし、図２１ないし図２６で締結バーを除いた残りの構成のジッパー用ファスナーは上述した図１ないし図５を参照できるので、以下では具体的な説明を省略する。
【０１２８】
図２１ないし図２６に示すように、上板２１０と、下板２２０と、ヘッド２３０が締結された状態で、前記ヘッド２３０の前記本体部２３１が、前記引体４００の前記本体部４１０の前記本体部収容部４２１に収容され、また、前記ヘッド２３０の前記フランジ部２３２が、前記引体４００の前記本体部４１０の前記フランジ部収容部４２２に収容される。
【０１２９】
以後、本発明による前記締結バー５００が、前記引体４００の前記本体部４１０の前記締結溝４３０に挿入されることによって、本発明による引体４００が前記ヘッド２３０と締結され得る。
【０１３０】
この時、本発明による引体４００が前記ヘッド２３０と締結されることにおいて、前記本体部４１０の下部に位置する本体部下面４１１は、前記上板２１０の第１ベース板２１１の上面と接触する。
【０１３１】
また、本発明では、前記ヘッドの本体部２３１が前記本体部収容部４２１に位置する場合、前記締結溝４３０は前記本体部２３１の半輪形状によって形成される引手収容部２３４と同じ平面上に位置するが、そのため、前記締結溝４３０が前記本体部２３１の半輪形状によって形成される引手収容部２３４と同じ平面上に位置し、これと同時に、前記ヘッドの本体部２３１が前記本体部収容部４２１に位置できるように、前記本体部収容部４２１の深さが前記締結溝４３０の深さよりさらに深く形成される。
【０１３２】
以上のような本発明によれば、本発明では前記ヘッドが前記上板から分離可能であるので、前記引手の交替が可能であり、したがって、ユーザーの気分またはユーザーの必要に応じて多様な形態の引手をジッパー用ファスナーに適用することが可能である。
【０１３３】
また、本発明で、前記引手の交替が可能であることを前提に、図１２ないし図１４に示す一般的な形態の引手を除去し、上述した図１５ないし図１７、または図２７のような多様なキャラクター形状の本体部を含む引体に交替することができる。
【０１３４】
以上、添付する図面を参照して本発明の実施形態を説明したが、本発明が属する技術分野における通常の知識を有する者は、本発明がその技術的思想や必須の特徴を変更せず他の具体的な形態で実施できることを理解することができる。したがって、上記一実施形態はすべての面で例示的なものであり、限定的なものではないと理解しなければならない。
【図１】
2020508138.tif 000003
【図２】
2020508138.tif 000004
【図３】
2020508138.tif 000005
【図４】
2020508138.tif 000006
【図５】
2020508138.tif 000007
【図６】
2020508138.tif 000008
【図７】
2020508138.tif 000009
【図８】
2020508138.tif 000010
【図９】
2020508138.tif 000011
【図１０】
2020508138.tif 000012
【図１１】
2020508138.tif 000013
【図１２】
2020508138.tif 000014
【図１３】
2020508138.tif 000015
【図１４】
2020508138.tif 000016
【図１５】
2020508138.tif 000017
【図１６】
2020508138.tif 000018
【図１７】
2020508138.tif 000019
【図１８】
2020508138.tif 000020
【図１９】
2020508138.tif 000021
【図２０】
2020508138.tif 000022
【図２１】
2020508138.tif 000023
【図２２】
2020508138.tif 000024
【図２３】
2020508138.tif 000025
【図２４】
2020508138.tif 000026
【図２５】
2020508138.tif 000027
【図２６】
2020508138.tif 000028
【図２７】
2020508138.tif 000029
【国際調査報告】
2020508138.tif 000030
2020508138.tif 000031
2020508138.tif 000032
2020508138.tif 000033